(57)【要約】      （修正有）【課題】ペルチェ素子を利用しつつ、着衣者の身体を快適に冷房又は暖房できるようにする衣服を提供する。【解決手段】熱交換ユニット１は、衣服の生地に取り付けられ、衣服内部と衣服外部とを仕切る仕切板１６と、仕切板１６に装着されるペルチェ素子１７と、仕切板１６の衣服内部側に設けられ、ペルチェ素子１７の一方の面の熱を伝導させる第１熱伝導部材１３と、第１熱伝導部材１３で熱交換された空気を衣服内部側に拡散させる第１のファン１４と、仕切板１６の衣服外部側に設けられ、ペルチェ素子１７の他方の面の熱を伝導させる第２熱伝導部材２３と、第２熱伝導部材２３で熱交換された空気を衣服外部側に放出させる第２のファン２４と、を備える構成である。【選択図】図３
2020097799.tif 000002
【特許請求の範囲】
【請求項１】
衣服の生地に取り付けられ、衣服内部と衣服外部とを仕切る仕切板と、
前記仕切板に装着されるペルチェ素子と、
前記仕切板の衣服内部側に設けられ、前記ペルチェ素子の一方の面の熱を伝導させる第１熱伝導部材と、
前記第１熱伝導部材で熱交換された空気を衣服内部側に拡散させる第１のファンと、
前記仕切板の衣服外部側に設けられ、前記ペルチェ素子の他方の面の熱を伝導させる第２熱伝導部材と、
前記第２熱伝導部材で熱交換された空気を衣服外部側に放出させる第２のファンと、
を備えることを特徴とする熱交換ユニット。
【請求項２】
前記仕切板の衣服内部側において、前記第１熱伝導部材及び前記第１のファンを包囲するように設けられ、前記仕切板から遠ざかるに従って開放面積が漸次拡大し、前記第１熱伝導部材で熱交換された空気を衣服内部側の空間に案内する送風部材、
を更に備えることを特徴とする請求項１に記載の熱交換ユニット。
【請求項３】
前記送風部材は、前記仕切板の近傍位置に前記第１熱伝導部材に向かって空気を流入させる吸気口が形成されていることを特徴とする請求項２に記載の熱交換ユニット。
【請求項４】
請求項１乃至３のいずれかに記載の熱交換ユニットを備える衣服。
【請求項５】
前記熱交換ユニットは、衣服の後身頃の生地に装着されることを特徴とする請求項４に記載の衣服。
【請求項６】
前記熱交換ユニットを制御するコントローラと、
前記コントローラを介して前記熱交換ユニットに電力を供給するバッテリーと、
を備えることを特徴とする請求項４又は５に記載の衣服。
【請求項７】
前記コントローラは、前記ペルチェ素子に流す電流の極性を切り替えることにより、冷房と暖房とを切り替え可能であることを特徴とする請求項６に記載の衣服。
【請求項８】
前記熱交換ユニットと着衣者の身体との間に空気を循環させる空間を形成するスペーサー、
をさらに備えることを特徴とする請求項４乃至７のいずれかに記載の衣服。
【請求項９】
前記スペーサーは、柔軟性を有することを特徴とする請求項８に記載の衣服。
【発明の詳細な説明】
【技術分野】
【０００１】
本発明は、熱交換ユニット及びそれを備えた衣服に関し、特に着衣者の身体を冷房又は暖房する技術に関する。
【背景技術】
【０００２】
従来、衣服に取り付けたファンにより、外部の空気を衣服内に取り込み、着衣者の身体を冷却するファン付の衣服が知られている（例えば特許文献１）。しかし、ファン付き衣服は外部の空気を衣服内に送り込むだけであるため、外気温が高い場合には冷房効果が低く、快適な衣服であるとは言えない。
【０００３】
また、従来、衣服内部に設けた水路に冷水又は温水を流すことにより、身体を冷房又は暖房できるようにした衣服も知られている（例えば特許文献２）。しかし、衣服の内部に冷水や温水を流す構成では、衣服の重量が増すため、着衣者の動作が鈍くなるという欠点がある。
【先行技術文献】
【特許文献】
【０００４】
【特許文献１】特許第６２００１１３号公報
【特許文献２】特開２０１２−１６１４４６号公報
【発明の概要】
【発明が解決しようとする課題】
【０００５】
ところで、ペルチェ素子を利用すれば、冷却又は加熱を行うことができるため、これを衣服に取り付けて衣服の内部を冷房又は暖房することが考えられる。しかし、ペルチェ素子は消費電力が大きいため、衣服の内面側に多数取り付けると電力消耗が激しく実用に耐えない。そのため、ペルチェ素子を利用する場合は、ペルチェ素子の数を減らし、着衣者の身体を効率的に冷房又は暖房できるようにすることが望ましい。
【０００６】
そこで本発明は、ペルチェ素子を利用しつつ、消費電力を低減し、着衣者の身体を快適な状態に冷房又は暖房できる熱交換ユニットを提供すると共に、その熱交換ユニットを備えた衣服を提供することを目的とする。
【課題を解決するための手段】
【０００７】
上記目的を達成するため、第１に、本発明は、熱交換ユニット(1)であって、衣服(100)の生地(101)に取り付けられ、衣服内部と衣服外部とを仕切る仕切板(16)と、前記仕切板(16)に装着されるペルチェ素子(17)と、前記仕切板(16)の衣服内部側に設けられ、前記ペルチェ素子(17)の一方の面の熱を伝導させる第１熱伝導部材(13)と、前記第１熱伝導部材(13)で熱交換された空気を衣服内部側に拡散させる第１のファン(14)と、前記仕切板(16)の衣服外部側に設けられ、前記ペルチェ素子(17)の他方の面の熱を伝導させる第２熱伝導部材(23)と、前記第２熱伝導部材(23)で熱交換された空気を衣服外部側に放出させる第２のファン(24)と、を備えることを特徴とする構成である。
【０００８】
第２に、本発明は、上記第１の構成を有する熱交換ユニット(1)において、前記仕切板(16)の衣服内部側において、前記第１熱伝導部材(13)及び前記第１のファン(14)を包囲するように設けられ、前記仕切板(16)から遠ざかるに従って開放面積が漸次拡大し、前記第１熱伝導部材(13)で熱交換された空気を衣服内部側の空間に案内する送風部材(12)を更に備えることを特徴とする構成である。
【０００９】
第３に、本発明は、上記第２の構成を有する熱交換ユニット(1)において、前記送風部材(12)は、前記仕切板(16)の近傍位置に前記第１熱伝導部材(13)に向かって空気を流入させる吸気口(12a)が形成されていることを特徴とする構成である。
【００１０】
第４に、本発明は、上記第１乃至第３のいずれかの熱交換ユニット(1)を備える衣服(100)である。
【００１１】
第５に、本発明は、上記第４の構成を有する衣服(100)において、前記熱交換ユニット(1)が衣服(100)の後身頃の生地(101)に装着されることを特徴とする構成である。
【００１２】
第６に、本発明は、上記第４又は第５の構成を有する衣服(100)において、前記熱交換ユニット(1)を制御するコントローラ(5)と、前記コントローラ(5)を介して前記熱交換ユニット(1)に電力を供給するバッテリー(6,7)と、を備えることを特徴とする構成である。
【００１３】
第７に、本発明は、上記第６の構成を有する衣服(100)において、前記コントローラ(5)は、前記ペルチェ素子(17)に流す電流の極性を切り替えることにより、冷房と暖房とを切り替え可能であることを特徴とする構成である。
【００１４】
第８に、本発明は、上記第４乃至第７のいずれかの構成を有する衣服(100)において、前記熱交換ユニットと着衣者の身体との間に空気を循環させる空間を形成するスペーサー(30)、をさらに備えることを特徴とする構成である。
【００１５】
第９に、本発明は、上記第８の構成を有する衣服(100)において、前記スペーサー(30)は、柔軟性を有することを特徴とする構成である。
【発明の効果】
【００１６】
本発明によれば、ペルチェ素子を利用しつつ、消費電力を低減し、着衣者の身体を快適な状態に冷房又は暖房できる熱交換ユニットを提供することができると共に、そのような熱交換ユニットを備えた衣服を提供することもできる。
【図面の簡単な説明】
【００１７】
【図１】熱交換ユニットとその制御機構を示す図である。
【図２】熱交換ユニットを取り付けた衣服を示す図である。
【図３】熱交換ユニットの構成を示す分解斜視図である。
【図４】熱交換ユニットの構成を示す断面図である。
【図５】スペーサーを設けた衣服を着用した状態を示す断面図である。
【図６】スペーサーを拡大して示す図である。
【発明を実施するための形態】
【００１８】
以下、本発明に関する好ましい実施形態について図面を参照しつつ詳細に説明する。尚、以下に説明する実施形態において互いに共通する部材には同一符号を付しており、それらについての重複する説明は省略する。
【００１９】
図１は、本実施形態における熱交換ユニット１とその制御機構を示す図である。図２は、熱交換ユニット１を取り付けた衣服１００を示す図である。図３は、熱交換ユニット１の構成を示す分解斜視図である。図４は、熱交換ユニット１の構成を示す断面図である。これらの図面に示す本実施形態の熱交換ユニット１は、ペルチェ素子１７を用いた熱交換を行い、衣服１００の着用者の身体を冷房又は暖房するためのものである。例えば、図２（ａ）に示すように、熱交換ユニット１は、衣服１００の後身頃の生地１０１に取り付けられ、着用者の身体の背を冷房又は暖房する。この熱交換ユニット１は、衣服１００の生地１０１を隔壁として利用し、衣服１００の内側に温度調整された空気を循環させると共に、衣服１００の外側に廃熱を放出する構成である。
【００２０】
図３に示すように、この熱交換ユニット１は、主として、ファンガード１１，２１と、送風部材１２，２２と、ファン１４，２４と、熱伝導部材１３，２３と、仕切板１６と、ペルチェ素子１７と、固定リング２５とを備えて構成される。この熱交換ユニット１は、仕切板１６及び固定リング２５を挟んで、衣服１００の生地１０１を挟んで衣服１００の内側に取り付けられる部分と衣服１００の外側に取り付けられる部分とに区別される。衣服１００の内側には、ファンガード（第１のファンガード）１１と、送風部材（第１送風部材）１２と、熱伝導部材（第１熱伝導部材）１２と、ファン（第１のファン）１４とが設けられる。また、衣服１００の外側には、ファンガード（第２のファンガード）２１と、送風部材（第２送風部材）２２と、熱伝導部材（第２熱伝導部材）２３と、ファン（第２のファン）２４とが設けられる。
【００２１】
仕切板１６は、衣服１００の生地１０１と共に、衣服１００の内側と外側とを区成する隔壁を形成する部材であり、概略円形の断熱プレートによって構成される。仕切板１６の厚みは、ペルチェ素子１７の厚みと略同一である。そして仕切板１６は、その中央にペルチェ素子１７と略同一サイズの孔１６ａが形成されており、その孔１６ａにペルチェ素子１７を収容して保持する。また、仕切板１６の周縁部複数箇所には、固定リング２５を取り付けるための孔１６ｂが形成される。
【００２２】
固定リング２５は、その外形サイズが仕切板１６の外形サイズと略同一であり、仕切板１６の一方の面に装着される。図３では、固定リング２５が衣服１００の外側から仕切板１６に取り付けられる例を示している。固定リング２５の内側の開放部２５ａは、熱伝導部材２３の外形サイズよりも大径である。また、固定リング２５の周縁部複数箇所には、仕切板１６に形成された孔１６ｂと同様の孔２５ｂが形成される。そして固定リング２５は、仕切板１６との間に衣服１００の生地１０１を挟み込んだ状態に配置され、孔２５ｂ，１６ｂにビスなどの固定部材２６が装着されることによって仕切板１６に固定される。
【００２３】
仕切板１６に固定リング２５を固定する固定部材２６は、着脱可能なものを用いることが好ましい。固定部材２６が着脱可能であれば、衣服１００の洗濯時に熱交換ユニット１を衣服１００から取り外すことができる。
【００２４】
衣服１００の内側に配置される熱伝導部材１３は、熱伝導板１３ａと、複数のフィン１３ｂとを備えるヒートシンクによって構成される。この熱伝導部材１３は、仕切板１６に保持されているペルチェ素子１７の一方の面に熱伝導板１３ａを接合させるように配置される。また、熱伝導部材１３は、複数のフィン１３ｂの内側にファン１４を収容する空間１３ｃが形成されており、その空間１３ｃにファン１４を収容する。ファン１４は、熱伝導部材１３で熱交換された空気を衣服１００の内側に向けて送風するためのものである。
【００２５】
送風部材１２は、ファン１４によって送り出される熱交換された空気を衣服１００の内側の空間に案内する部材である。例えば、送風部材１２は、底なしの椀形形状を有し、仕切板１６から遠ざかるに従って開放面積が漸次拡大するように構成される。また送風部材１２は、その糸尻部１２ｂが熱伝導部材１３及びファン１４を包囲するように配置されると共に、糸尻部１２ｂの先端が仕切板１６に固定される。さらに、送風部材１２は、仕切板１６に固定される糸尻部１２ｂの周壁に吸気口１２ａが形成され、その吸気口１２ａを介して周囲の空気を、熱伝導部材１３が設けられている内側に流入させることができる構成である。
【００２６】
ファンガード１１は、通気性を確保しつつ、送風部材１２の送風口を塞ぐ部材である。送風部材１２の送風口にファンガード１１を設けておくことで衣類などがファン１４に絡み付くことを防止することができる。
【００２７】
衣服１００の外側に配置される熱伝導部材２３は、上述した熱伝導部材１３と同様である。すなわち、熱伝導部材２３は、熱伝導板２３ａと、複数のフィン２３ｂとを備えるヒートシンクによって構成され、仕切板１６に保持されているペルチェ素子１７の他方の面に熱伝導板２３ａを接合させるように配置される。また、熱伝導部材２３は、複数のフィン２３ｂの内側にファン２４を収容する空間が形成されており、その空間にファン２４を収容する。ファン２４は、周囲の空気を熱伝導部材２３に向けて送風するためのものである。
【００２８】
送風部材２２は、ファン２４が作動することによって熱伝導部材２３の周囲から放出される熱交換された空気を衣服１００から遠ざかる方向へ案内する部材である。この送風部材２２は、例えば上述した送風部材１２と同様に、底なしの椀形形状を有し、仕切板１６から遠ざかるに従って開放面積が漸次拡大するように構成される。送風部材２２の糸尻部２２ｂは、熱伝導部材２３及びファン２４を包囲するように配置され、その先端が仕切板１６に固定される。ただし、この送風部材２２の糸尻部２２ｂの周壁には、送風部材１２のような吸気口は設けられていない。
【００２９】
ファンガード２１は、上述したファンガード１１と同様、通気性を確保しつつ、送風部材２２の送風口を塞ぐことでファン２４を保護するためのものである。
【００３０】
上記のような各部品が組み付けられることにより、熱交換ユニット１は、図１（ａ）に示すように、ペルチェ素子１７が組み込まれた仕切板１６を挟んで、衣服１００の内側と外側とでほぼ対称な構成となる。このような熱交換ユニット１は、通電の必要な部品として、ペルチェ素子１７と、ファン１４，２４とを備えている。図１（ｂ）は、それらの部品を制御する機構を示すブロック図である。熱交換ユニット１の制御機構として、コントローラ５と、モバイルバッテリー６，７とが設けられる。モバイルバッテリー６，７は、例えば充電式のバッテリーであり、コントローラ５に対して電力を供給する。コントローラ５は、モバイルバッテリー６，７から供給される電力を熱交換ユニット１へ供給することにより、ペルチェ素子１７及びファン１４，２４を駆動する。このコントローラ５は、ペルチェ素子１７に供給する直流電流の極性を切り替えることにより、冷房と暖房とを切り替えることが可能である。ただし、冷房及び暖房のいずれであっても、ファン１４，２４を駆動する方向（回転方向）は変わらない。このようなコントローラ５及びファン１３，２４は、例えば衣服１００に設けられるポケット（図示省略）に収容された状態で携行される。
【００３１】
次に図４を参照して熱交換ユニット１の動作について説明する。まず衣服１００の内側では、ファン１４が駆動されると、矢印Ｆ１で示すように、送風部材１２の糸尻部１２ｂに設けた吸気口１２ａから周囲の空気が送風部材１２の内部へ取り込まれる。送風部材１２の内部へ取り込まれた空気は熱伝導部材１３によって熱交換され、その熱交換された空気がファン１４の送風力によって矢印Ｆ２で示す方向へ送り出される。例えば冷房時には、ペルチェ素子１７の衣服１００の内側の面が冷却されるので、熱伝導部材１３も冷却された状態となる。そのため、吸気口１２ａから取り込まれた空気は、熱伝導部材１３によって冷却され、ファン１４によって衣服１００の内側空間へ送り出される。また暖房時には、ペルチェ素子１７の衣服１００の内側の面が加熱されるので、熱伝導部材１３も加熱された状態となる。そのため、吸気口１２ａから取り込まれた空気は、熱伝導部材１３によって加熱され、ファン１４によって衣服１００の内側空間へ送り出される。
【００３２】
次に衣服１００の外側では、ファン２４が駆動されると、矢印Ｆ３で示すように、熱交換ユニット１の周囲の空気がペルチェ素子１７に向かうように送り込まれる。ペルチェ素子１７に向かう空気は、熱伝導部材２３によって熱交換された後、熱伝導部材２３の外側に向かう。送風部材２２の糸尻部２２ｂには、送風部材１２のような吸気口が設けられていないため、熱伝導部材２３の外側に向かった空気は送風部材２２の内壁に沿って移動するようになる。そして熱交換された空気は、最終的に矢印Ｆ４で示すように、ファンガード２１の周縁部から外側へ放出される。例えば冷房時には、ペルチェ素子１７の衣服１００の外側の面が加熱されるので、熱伝導部材２３も加熱された状態となる。そのため、熱伝導部材２３によって熱交換された空気は、周囲の空気よりも高温状態である。送風部材２２は、そのような高温の空気を衣服１００から遠ざかる方向へ放出することにより、着衣者の快適性を損なわないようにしている。また暖房時には、ペルチェ素子１７の衣服１００の外側の面が冷却されるので、熱伝導部材１３も冷却された状態となる。そのため、熱伝導部材２３によって熱交換された空気は、周囲の空気よりも低温状態である。送風部材２２は、そのような低温の空気を衣服１００から遠ざかる方向へ放出する。したがって、暖房時においても着衣者の快適性を損なわない。
【００３３】
次に上記のような熱交換ユニット１が取り付けられる衣服１００について説明する。例えば、衣服１００の後身頃の生地１０１に、固定リング２５の開放部２５ａと同サイズの穴を設け、その穴の周縁部に対して仕切板１６と固定リング２５とを固定することにより、熱交換ユニット１が取り付けられる。このようにして熱交換ユニット１が取り付けられた衣服１００は、衣服１００の内側の空気がペルチェ素子１７によって冷却又は加熱され、その冷却又は加熱された空気がファン１４によって再び衣服１００の内側に循環供給されるため、１つのペルチェ素子１７で効率的に着衣者の背を冷房又は暖房できる。
【００３４】
またファン１４は、着衣者の背に向けて温度調整された空気を吹き出す。そのため、特に冷房時には着衣者の汗が気化するときの気化熱を利用して着衣者の背を冷やすことができる。さらに冷房時にはペルチェ素子１７によって冷却された熱伝導部材１３に結露を生じさせて衣服１００の内側の空間を除湿することもできる。
【００３５】
このように熱交換ユニット１を取り付けた衣服１００は、冷却又は加熱の対象となる空気の体積を減らして効率的に冷房又は暖房を行うことができると共に、冷房時には、気化熱を利用して更に効率的な冷房を行うことができ、しかも衣服１００の内部を除湿するので着衣者の快適性を向上させることができるという利点がある。また、１つのペルチェ素子１７で着衣者の背を効果的に冷房又は暖房できるため、消費電力を小さく抑えることが可能であり、現在市販されているモバイルバッテリー６，７で供給可能な電力量を考慮しても少なくとも数時間程度は継続使用することができ、十分に実用に適う冷房能力又は暖房能力を発揮する。
【００３６】
ところで、上記のような衣服１００は、冷房又は暖房の効率を一定の状態で保持するため、衣服１００の内側に空気を循環させるために一定のスペースを有することが好ましい。そこで、衣服１００の内側には、図２（ｂ）に示すように熱交換ユニット１の周囲において着衣者の身体と生地１０１との間に空気を循環させるための空間を形成するスペーサー３０を設けることが好ましい。
【００３７】
図５は、スペーサー３０を設けた衣服１００を着用した状態を示す断面図である。図５に示すように衣服１００の内側にスペーサー３０を設けることにより、熱交換ユニット１の取り付け位置周辺において、衣服１００の生地１０１と着衣者の身体１１０との間に一定の空間Ｘを確保することができる。熱交換ユニット１は、その空間Ｘにおいて温度調整された空気を循環させる。このようなスペーサー３０は、例えば夏場の猛暑日であっても衣服１００が着衣者の身体１１０に貼り付いてしまうことを防止し、空間Ｘにおいて温度調整された空気を着衣者の身体１１０に行き渡らせることができる。
【００３８】
図６は、スペーサー３０を拡大して示す図である。スペーサー３０は、例えば柔軟性を有する樹脂製のフレーム構造３１を備えている。このフレーム構造３１は、主として、２本の縦フレーム３１ａ，３１ｂと、２本の縦フレーム３１ａ，３１ｂの上端及び下端に連結される２本の横フレーム３１ｃ，３１ｄと備えて構成される。横フレーム３１ｃは、２本の縦フレーム３１ａ，３１ｂの立設位置から後方側にずれた位置に配置されており、２本の縦フレーム３１ａ，３１ｂとは同一平面にない。また、横フレーム３ｄも、２本の縦フレーム３１ａ，３１ｂの立設位置から後方側にずれた位置に配置されており、２本の縦フレーム３１ａ，３１ｂとは同一平面にない。そして横フレーム３１ｃ，３１ｄの両端部が折れ曲がって縦フレーム３１ａ，３１ｂの上下両端部に連結されている。縦フレーム３１ａ，３１ｂと横フレーム３１ｃ，３１ｄの折れ曲がった連結部は柔軟性を有するため、２本の縦フレーム３１ａ，３１ｂの間隔を容易に広げることができる。また、縦フレーム３１ａ，３１ｂ及び２本の縦フレーム３１ａ，３１ｂも柔軟性を有するため、各フレームを容易に撓み変形させることも可能である。また、横フレーム３１ｃ，３１ｄの間には、一対の補強フレーム３２，３２が設けられる。この補強フレーム３２，３２も柔軟性を有する樹脂製のフレームである。
【００３９】
例えば、一対の補強フレーム３２，３２の間には、固定リング２５の開放部２５ａと同サイズの穴３３ａが設けられた布地３３が張設される。したがって、スペーサー３０は、布地３３の穴３３ａを衣服１００に形成された穴に重ねた状態で熱交換ユニット１が取り付けられることにより、衣服１００に装着される。ただし、スペーサー３０の衣服１００への取り付け態様はこれに限られるものではない。例えば、補強フレーム３２，３２を衣服１００に直接縫い付けるようにしても良いし、また面ファスナーなどを用いて衣服１００に取り付けるようにしても良い。
【００４０】
このようなスペーサー３０が衣服１００の内側に設けられることにより、温度調整された空気を循環させる空間Ｘを形成することができる。また、スペーサー３０は柔軟性を有するため、衣服１００の背に何らかの物体が衝突したとしてもスペーサー３０がクッションとなり、着衣者を保護することができるという利点もある。尚、スペーサー３０の素材は必ずしも樹脂に限られるものではなく、一定の柔軟性を示すのであれば、金属製の素材を用いても構わない。
【００４１】
以上、本発明に関する一実施形態について説明したが、本発明は、上記実施形態において説明した内容のものに限られるものではなく、種々の変形例が適用可能である。
【００４２】
例えば、上記実施形態では、熱交換ユニット１に１つのペルチェ素子１７を設ける場合を例示したが、ペルチェ素子１７の数は１つに限られない。例えば熱交換ユニット１に２以上のペルチェ素子１７を設けたものであっても構わない。
【００４３】
また上記実施形態では、衣服１００の後身頃の生地１０１に熱交換ユニット１を配置する例を説明した。しかし、熱交換ユニット１を取り付ける位置は、必ずしも後身頃の生地１０１には限られない。
【００４４】
また上記実施形態では、特に言及しなかったが、衣服１００の生地１０１の更に内側に裏地が設けられることもある。そのような衣服１００の場合、裏地は、熱交換ユニット１及びスペーサー３０よりも更に内側に位置することになるため、メッシュ素材などの通気性を失わない素材であることが好ましい。また、衣服１００の裾部で生地１０１と裏地とが縫合される場合には、スペーサー３０を生地１０１と裏地の間に収容しておくだけの取り付け態様であっても構わない。
【符号の説明】
【００４５】
１…熱交換ユニット、５…コントローラ、６，７…モバイルバッテリー、１１，２１…ファンガード、１２，２２…送風部材、１２ａ…吸気口、１３…熱伝導部材（第１熱伝導部材）、１４…ファン（第１のファン）、１６…仕切板、１７…ペルチェ素子、２３…熱伝導部材（第２熱伝導部材）、２４…ファン（第２のファン）、３０…スペーサー、１００…衣服、１０１…生地。
【図１】
2020097799.tif 000003
【図２】
2020097799.tif 000004
【図３】
2020097799.tif 000005
【図４】
2020097799.tif 000006
【図５】
2020097799.tif 000007
【図６】
2020097799.tif 000008